(57)【要約】本発明は靴底（２）および靴底（２）から立ち上がっているアッパー（３）を備える靴に関する。アッパー（３）は、靴の中の足のハウジングの大きさまたは容量（ＲＺ）を調節する、少なくとも部分的に互いに対して移動可能な、少なくとも２つの部分（３ａ、３ｂ）と、互いに対して移動可能な部分の締め付け−開放手段と、を備えている。また、靴は、靴の背面またはかかと部（８）で作動可能であるか、またはそこに配置された、締め付け−開放手段（４、５）の制御手段（６、７）を備えている。【選択図】図１
2017500954.tif 000002
【特許請求の範囲】
【請求項１】
靴底（２）と、前記靴底（２）から立ち上がったアッパー（３）とを備える靴であって、前記アッパー（３）は、少なくとも部分的に互いに対して移動可能な、少なくとも２つの部分（３ａ、３ｂ）と、前記互いに対して移動可能な部分の締め付け−開放手段と、を備えており、それらによって前記靴の中の足のためのハウジングの大きさまたは容量（ＲＺ）を調節する靴であって、
前記靴は、前記靴の背面またはかかと部（８）で動作可能であるか若しくはその位置に配置されている、前記締め付け−開放手段（４、５）の制御手段（６、７）を備えており、前記制御手段は、長手方向に沿って前記互いに対して移動可能な部分（３ａ、３ｂ）を接近−分離させるための少なくとも一つの第一の接近−分離部品（６）と、使用時に垂直方向に沿って前記互いに対して移動可能な部分の一方（３ｂ）を他方の部分（３ａ）に対して、接近−分離させるための少なくとも一つの第二の接近−分離部品（７）と、を備えていることを特徴とする靴。
【請求項２】
前記第一の接近−分離部品（６）は、前記締め付け−開放手段（４）に、前記互いに対して移動可能な部分（３ａ、３ｂ）を長手方向に締め付け−開放することを目的とし、一方で、前記少なくとも一つの第二の接近−分離部品（７）は、前記前記締め付け−開放手段（５）に、前記互いに対して移動可能な部分（３ａ、３ｂ）を、垂直方向に互いに対して締め付け−開放させることを目的としていることを特徴とする請求項１に記載の靴。
【請求項３】
前記締め付け−開放手段は、少なくとも一つのケーブル要素（４、５）を備えており、当該ケーブル要素（４、５）は、前記互いに対して移動可能な部分の一方（３ｂ）に固定された第一の端部（４ａ、５ａ）と、前記互いに対して移動可能な部分の他方（３ａ）と調節可能に結合された第二の端部（４ｂ、５ｂ）と、を備えていることを特徴とする請求項１または２に記載の靴。
【請求項４】
前記互いに対して移動可能な部分が、固定部分（３ａ）と、前記固定部分（３ａ）に対して少なくとも部分的に移動可能な可動部分（３ｂ）と、を備えており、前記ケーブル要素（４、５）が複数の区間で前記可動部分を結合し、その結果、前記制御手段（６、７）の動作を制御することにより、全体的かつ局所的ではない締め付けまたは開放が、前記２つの互いに移動可能な部分（３ａ、３ｂ）に定義されることを特徴とする請求項３に記載の靴。
【請求項５】
前記少なくとも１つのケーブル要素（４、５）が、前記可動部分（３ｂ）に拘束され、前記可動部分（３ｂ）と前記固定部分（３ａ）の間、または前記互いに移動可能な部分（３ｂ）の区画（３ｂ１、３ｂ２）の間で、１回または複数回折り返していることを特徴とする請求項４に記載の靴。
【請求項６】
前記靴が、前記アッパー（３）の、異なる高さ、または異なる長手方向、若しくは正面（Ｆ）−背面（Ｒ）位置の領域で配置された、ハトメ（４１、４２、４３、４４、４５、４６、５１、５２、５３、５４、５５、５６）を備えており、前記ケーブル要素（４、５）が、前記ハトメ（４１、４２、４３、４４、４５、４６、５１、５２、５３、５４、５５、５６）の中の、前記少なくとも１つのケーブル要素（４、５）の続いている経路または戻り箇所を通過して折り返していることを特徴とする請求項５に記載の靴。
【請求項７】
前記制御手段が、前記互いに対して移動可能な部分の一方（３ａ）に取り付けられている少なくとも１つのピニオン要素（６、７）と、前記互いに対して移動可能な部分の他方（３ｂ）に固定された前記少なくとも１つのケーブル要素（４、５）に拘束されているラック要素（９ａ、９ｂ）と、を備えていることを特徴とする請求項３から６のいずれかに記載の靴。
【請求項８】
前記少なくとも１つのピニオン要素（６、７）が前記靴（１）のかかと部（８）における回転のために取りつけられており、さらに、各々のラック要素（９ａ、９ｂ）が各ピニオン要素（６、７）とかみ合って摺動自在に誘導されることを特徴とする請求項７に記載の靴。
【請求項９】
前記制御手段が、前記ピニオン要素の回転を制御する少なくとも１つの制御レバー（１０）を備えていることを特徴とする請求項１から８のいずれかに記載の靴。
【請求項１０】
前記制御レバー（１０）が弾性的に装着されていることを特徴とする１から９のいずれかに請求項に記載の靴。
【請求項１１】
前記ピニオン要素（７）が、前記靴底（２）の外側、または突出している外側にヘッドを有しており、駆動工具のための結合用台座（７ｂ）の境界を定めていることを特徴とする請求項７から１０のいずれかに記載の靴。
【請求項１２】
前記ピニオン要素（６）が、静止位置と前記ピニオン要素が前記静止位置に対して回転する動作位置との間で移動可能であり、且つ前記ピニオン要素（６）が、前記ピニオン要素（６）を前記静止位置に戻すことを目的とした前記ピニオン要素（６）の少なくとも１つの開放ボタン（１１）を備えていることを特徴とする請求項７から１１のいずれかに記載の靴。
【請求項１３】
前記互いに対して移動可能な部分が、実質的に正面を向くタン部分（３ｂ）および水平−後方部分（３ａ）を備えていることを特徴とする請求項１から１２のいずれかに記載の靴。
【請求項１４】
前記タン部分（３ｂ）が、前記水平−後方部分（３ａ）に固定された２つの後方端部（１３ａ、１３ｂ）と、前記靴底（２）に固定された下方端部（１４）とを備えており、ここで前記タン部分（３ｂ）の２つの内側端部（１６、１７）の境界を定めるように、前記タン部分（３ｂ）に溝（１５）が形成されており、一方で、前記互いに移動可能な部分の前記締め付け−開放手段が、前記タン部分（３ｂ）の前記内側端部（１６、１７）を締め付け−開放することを目的としていることを特徴とする請求項１３に記載の靴。
【請求項１５】
前記溝が、前記タン部分（３ｂ）の上側自由端部（１８）からその頂部へと延伸していることを特徴とする請求項１から１４のいずれかに記載の靴。
【請求項１６】
前記少なくとも１つのケーブル要素（４、５）は、前記可動部分（３ｂ）の前記内側端部（１６、１７）の間で折り返していることを特徴とする請求項１３または１４に記載の靴。
【請求項１７】
前記アッパーがその周囲に前記互いに対して移動可能な部分（３ａ、３ｂ）が取り付けられたコア（３ｃ）を備えており、前記コアが前記ハウジング容量（ＲＺ）の境界を定めていることを特徴とする請求項１から１６のいずれかに記載の靴。
【発明の詳細な説明】
【技術分野】
【０００１】
本発明は、新規な靴に関し、特に、ランニングや自転車競技のためのスポーツシューズ（運動靴）に関する。
【背景技術】
【０００２】
従来技術
現在に至るまで、異なる構成のアッパーおよび靴底、ならびに異なるクロージャー（閉鎖）の種類によって、数多くのスポーツシューズが提案されてきた。
【０００３】
米国特許出願公開第２０１１２５８８７６Ａ１号、米国特許出願公開第２０１３０１４３５９Ａ１号、ドイツ国実用新案公報第２９７０１４９１Ｕ１号、米国特許出願公開第２００９１９９４３５号Ａ１および欧州公開特許第１４２１８６８Ａ１号は、新しい技術に準じた靴について教示している。
【０００４】
特に、自転車競技におけるペダリングや、ランニングにおける歩幅／早さ（ストライド／ペース）など、実行速度が重要であるスポーツにおいて、使用する靴が抵抗する、予想される阻害要因が、最小であることが重要である。
【０００５】
当然ながら、靴のクロージャー操作が簡単に実施できることも重要である。さらに、例えば、ユーザが、平坦ではない経路、または上り坂／下り坂の経路に使用する場合、および／またはランニングおよび／またはウォーキングに使用する場合といった、ユーザ自身の要求に応じて、ユーザの足に快適に適合するように、効果的な方法でアッパーを締め付ける（ｔｉｇｈｔｅｎ）ことができることも重要である。
【０００６】
現状の解決策で、簡単かつ効率的なクロージャー手段（閉鎖手段）および締め付け手段との組み合わせにより、良好な空気力学（ａｅｒｏｄｙｎａｍｉｃｓ、空気力学的特性）を得ることは可能ではない。
【先行技術文献】
【特許文献】
【０００７】
【特許文献１】米国特許出願公開第２０１１２５８８７６Ａ１号公報
【特許文献２】米国特許出願公開第２０１３０１４３５９Ａ１号公報
【特許文献３】ドイツ国実用新案公報第２９７０１４９１Ｕ１号公報
【特許文献４】米国特許出願公開第２００９１９９４３５Ａ１号公報
【特許文献５】欧州公開特許第１４２１８６８Ａ１号公報
【発明の概要】
【発明が解決しようとする課題】
【０００８】
本発明の目的
従って、本発明の目的は、上記の課題を克服することができる新規な靴を提供することである。
【０００９】
本発明の別の目的は、容易で、迅速に、且つ効果的な方法で、空気力学を損なうことなく、ユーザの足を接近して締め付ける（ｔｉｇｈｔｅｎｅｄ  ｃｌｏｓｅ）、または閉鎖する（ｃｌｏｓｅ）ことができる新規な靴を提供することである。
【００１０】
本発明のさらなる目的は、ユーザの足に、調節可能な方法で快適に適合することが可能な新規な靴を提供することである。
【課題を解決するための手段】
【００１１】
靴は、本発明の１つの様態に従って、請求項１に準じて定められる。
【００１２】
従属請求項は、本発明の好適な、および有利な実施形態に言及する。
【図面の簡単な説明】
【００１３】
本発明のその他の特徴や有利な点は、添付される図面の例によって図示される、靴の実施形態の記述から、さらに明らかにされるであろう。
【００１４】
【図１】図１は、本発明に従った靴の外側の背面斜視図である。
【図２】図２は、図１の靴の外側の正面斜視図である。
【図３】図３は、図１の靴の内側の正面斜視図である。
【図４】図４は、本発明に従った靴の分解図である。
【図５】図５は、動作位置にある、図１の靴の透過部分の側面図である。
【図６】図６は、動作位置にある、図１の靴の透過部分の側面図である。
【図７】図７は、図１の靴の背面図である。
【図８】図８は、透過部分を含む、図１の靴の背面図である。
【００１５】
図面において、同一の構成要素および部品は同じ参照番号で示されている。
【発明を実施するための形態】
【００１６】
図面を参照すると、例えば、サイクリング用またはランニング用の靴１が図示されており、靴底２（ソール２、ｓｏｌｅ）および靴底２から立ち上がるアッパー３を備えており、アッパー３は少なくとも部分的に互いに（すなわち双方に対して）移動可能な２つ以上の部分３ａ、３ｂを備える。必要に応じて可動部分である一方の３ｂは、必要に応じて固定部分である他方の部分３ａに対して少なくとも部分的に移動可能であり、それにより、靴１の中にある足のためのハウジング（収納容器、ｈｏｕｓｉｎｇ）としての大きさまたは容量ＲＺを調節する。
【００１７】
互いに移動可能な部分（ｄｉｓｐｌａｃｅａｂｌｅ  ｐｏｒｔｉｏｎ、変位可能な部分）に関して、これらの部分は互いに対して移動可能であり且つ両方が可動であり、または、一方が固定されて他方が前者に対して移動することも可能である。
【００１８】
好適には、さらに、アッパー３は、必要に応じて糊付けまたは縫合にて、周囲に部分３ａ、３ｃが取り付けられたコア（芯材）３ｃを備える。図面で得られる実施形態によると、部分３ａのみがコア３ｃに取り付けられている。必要に応じて、コアはハウジング容量ＲＺの境界を定め、一方で、部分３ａ、３ｂは、コア３ｃの、特に、コア３ｃの側壁の周囲に取り付けられるとともに、コア３ｃを被覆または包囲するマスク構成要素（ｍａｓｋ  ｃｏｍｐｏｎｅｎｔ）である。このような場合、互いに移動可能な部分３ａ、３ｂを互いに移動することにより、コア３ｃの形状または構成は変更され、従って、ハウジング容量ＲＺが変化する。かかる目的のために、コア３ｃは、例えばゴムまたは類似の材料の、柔らかい材料で作られてもよく、一方で部分３ａ、３ｂはコア３ｃよりも固い材料で作られてもよい。必要に応じてプラスチックまたは複合材料でできていてもよい。互いに移動可能な部分３ａ、３ｂについては、限定することのない実施形態に従って、以下に詳述される。
【００１９】
次いで、靴は、互いに移動可能な部分３ａ、３ｂのための締め付け−開放手段４、５（ｔｉｇｈｔｅｎ−ｒｅｌｅａｓｅ  ｍｅａｎｓ  ４，５）を備えている。かかる締め付け−開放手段は、例えば、必要に応じて鋼鉄でできた、１つまたは複数のケーブル要素４、５（図示される実施形態によると２つ）を備えており、ケーブル要素４、５は、好適には可動部分である互いに移動可能な部分の１つである３ｂに固定される、第１の端部４ａ、４ｂを備える。またケーブル要素４、５は、好適には固定部分である互いに移動可能な部分の別の１つである３ａと調節可能に結合できる、第２の端部４ｂ、５ｂを備える。
【００２０】
次いで、靴は、締め付け−開放手段４、５のための制御手段６、７が提供される。かかる制御手段は、背面Ｒ、または、好適には靴１のかかと部８、すなわち、ユーザの足のかかとまたは後方部分を包囲することを目的とする部分で操作可能であり、またはそこに配置される。
【００２１】
好適には、制御手段は、以下の構成を備えている。すなわち、
−  互いに対して移動可能な部分３ａ、３ｂの、長手方向または正面（Ｆ）−背面（Ｒ）方向の接近−分離（ａｐｐｒｏａｃｈ  −  ｍｏｖｅ  ａｐａｒｔ）のための、少なくとも１つの部品６であって、すなわち、（靴の）長手方向に沿って互いに移動可能な部分３ａ、３ｂを接近−分離させるための、少なくとも１つの第１の接近−分離部品６と、
−  一方の互いに移動可能な部分３ａ、３ｂを、他方の３ｂ、３ａに対して上昇−降下（ｌｉｆｔｉｎｇ−ｌｏｗｅｒｉｎｇ）させるための少なくとも１つの部品７であって、すなわち、互いに移動可能な部分の一方の３ｂを、他方の３ａに対して、使用時に垂直な方向に沿って接近−分離させるための、少なくとも１つの第２の接近−分離部品７と、
を備えている。
【００２２】
長手方向の接近−分離の部品６は、正面Ｆから背面Ｒ方向へ、またはその反対方向にコア３ｃ（該当する場合）を結合するように、正面Ｆ−背面Ｒ方向に、互いに移動可能な部分３ａ、３ｂを締め付けるための締め付け−開放手段４を制御することが目的とされている。好適には、接近−分離部品６は、コア３ｃ、さらに具体的にはその側壁を締め付けるように、背面Ｒおよび固定部分３ａに向かって、可動部分３ｂまたはその一部を移動することを目的としている。または、接近−分離部品６は、コア３ｃ、さらに具体的にはその側壁を広げられるように、正面Ｆに向かって、または固定部分３ａから遠ざかって、可動部分３ｂまたはその一部を移動することを目的としている。
【００２３】
一方、上昇用部品７は、２つの部分またはそこにある部品３ａ、３ｂを、垂直方向に互いに締め付けるように、締め付け−開放手段５を制御すること、および、コア３ｃが提供されている場合には、底部から頂部に向かって、またはその反対方向に、部分３ａ、３ｂを用いて後者を締め付けることが目的とされている。好適には、上昇用部品７は、コア３ｃ、例えば、コア３ｃの頂点または正面部分を締め付けるように、可動部分３ｂまたはその一部を下方向に、および、固定部分３ａに向かって移動することを目的とされている。または、上昇用部品７は、コア３ｃ、例えば、コア３ｃの頂点または正面部分を開放するように、上方向、および固定部分３ａから離れるように移動することを目的としている。
【００２４】
さらに好適には、制御手段は、少なくとも１つのピニオン（小歯車、ｐｉｎｉｏｎ）要素６、７と、ラック（歯竿、ｒａｃｋ）要素９ａ、９ｂとを備える。ピニオン要素６、７は、互いに移動可能な部分の一つであって、必要に応じて固定部分３ａに、取り付けられる。ラック要素９ａ、９ｂは、一方が、互いに移動可能なもう１つの部分３ｂに固定された各々のケーブル要素４、５に拘束され、他方が、ピニオン要素６、７のうちの１つまたはそれぞれを用いて結合可能に拘束される。ラック要素９ａ、９ｂの第１の端部は、各々のケーブル要素４、５に、例えば糊付け、溶接により、または、かかる第１の端部に形成されたスロットへのケーブル要素４、５の挿入および留め付け（ｌｏｃｋ）によって、固定されることが可能である。各要素９ａ、９ｂの他方の端部、または第２の端部は自由端であってもよい。一方で、ラック要素の中間部は、各々のピニオン要素６、７にかみ合って摺動自在に取り付けられる。
【００２５】
ピニオン要素６、７は、実質的に水平な軸の周囲に、または正面Ｆ−背面Ｒ方向に、例えば、アッパーを横断するように、且つ、外側からその内側に向かって、回転可能に取り付けられてもよい。一方で、ラック要素９ａ、９ｂは好適には実質的に水平なトリム（ｔｒｉｍ、装飾品）を有してもよく、且つラック要素９ａ、９ｂは、ハウジング容量ＲＺの周囲方向に延伸してもよい。
【００２６】
ピニオン要素６、７は靴１のかかと部８に回転可能に取り付けられることができる。一方で、各ラック９ａ、９ｂは、各ピニオン要素６、７にかみ合って摺動自在に誘導される。かかる目的のために、固定部分３ａは、全体または一部が、ラック要素９ａ、９ｂの摺動および誘導に適した形状の区間（ｚｏｎｅ）の境界を定める、閉鎖したシェル状（ｓｈｅｌｌ、殻状）の本体を有することが可能で、そこにピニオン要素６、７が突出する。必要に応じて、固定部分３ａのシェル状の本体は、ラック要素９ａ、９ｂのための、摺動および誘導区間の境界を定める、浮き上がった（ｉｎ  ｒｅｌｉｅｆ）突起部を含んでもよい。
【００２７】
有利なことに、制御手段６、７の動作を制御することにより、全体的でかつ局所的ではない締め付けまたは開放が２つの互いに移動可能な部分３ａ、３ｂに定義されるように、ケーブル要素４、５は複数の区間で可動部分３ｂと結合している。
【００２８】
かかる目的のために、ケーブル要素４は、可動部分３ｂに対してその中間区間または下部区間で拘束されてもよい。また、ケーブル要素４は、可動部分３ｂと固定部分３ａの間、または、かかる部分３ｂのうちの１つの、分離された区画３ｂ１と区画３ｂ２の間で、１回以上の戻り箇所（折り返し、図示される実施形態では３回）があってもよい。上記は、例えば、かかる部分３ａ、３ｂまたは部分３ｂの離れている区画３ｂ１、３ｂ２に形成された、ハトメ４１、４２、４３、４４、４５、４６の、ケーブル要素４の経路または連なっている折り返し箇所（ｐａｓｓａｇｅ  ｏｒ  ｓｕｂｓｅｑｕｅｎｔ  ｒｅｔｕｒｎ）を用いて得られる。かかるハトメは、ケーブル要素４が、可動部分３ｂの後方端部１３ａの頂部、従って固定部分３ａの正面端部１２ａに到達または突出し、ここから、ケーブル要素４が制御手段に、従って、該当する場合には各ラック要素９ａに運ばれるまで、アッパーおよび部分３ａ、３ｂのうちの１つ、または両方の異なる高さ（ｌｅｖｅｌ）で配置される。必要に応じて、固定部分３ａおよび／または可動部分３ｂで、ケーブル４を誘導および摺動するための挿入溝が提供される。
【００２９】
ケーブル要素４は、制御手段の長手方向の、または、正面（Ｆ）−背面（Ｒ）の接近−分離を担う要素６を構成する。
【００３０】
また、ケーブル要素５もまた、アッパーの、異なる長手方向、または異なる正面Ｆ−背面Ｒ位置の区間に配置される、各ハトメ５１、５２、５３、５４、５５、５６の経路を用いて、可動部分３ａの後方端部１３ａに到達し、ここから固定部分３ａの正面端部１２ａ、次いで制御手段、従って該当する場合には各ラック要素９ｂに向かって運ばれるまで、可動部分３ｂに対して、その正面区間で拘束され、可動部分３ｂと固定部分３ａの間、または、かかる部分３ｂの１つである区画３ｂ１、３ｂ２の間で、１回または複数回（図示される実施形態では３回）の折り返すことが可能である。
【００３１】
ケーブル要素５は、互いに移動可能な部分３ａ、３ｂの、互いの上昇−下降のための要素７を代表する（ｒｅｐｒｅｓｅｎｔ）ことができる。
【００３２】
図面に示される実施形態によると、２つのピニオン要素６、７が提供されて、それぞれは各々のラック要素９ａ、９ｂの摺動を制御すること、および、各々のラック要素９ａ、９ｂが各々のケーブル要素４、５に固定されることを目的とする。かかるケースでは、２つのラック要素９ａ、９ｂは実質的に水平であってもよい。
【００３３】
このような実施形態によると、第１のケーブル要素４は、使用中、上部に位置し、各ラック要素９ａから始まり、固定部分３ａの正面端部１２ａへと、必要に応じてこのような端部の頂部で延伸する。ここから、第１のケーブル要素４は、可動部分３に結合するまで、必要に応じてその頂部で、固定部分３ａを超えて延伸する。
【００３４】
１つまたは複数のピニオン要素６、７は、アッパー３の外側、または突出している外側、具体的にはヒール部８に、ヘッド６ａ、７ａ（ｈｅａｄ、頭部）を有する。歯車または類似のもの（図面には図示されず）、または歯車がその上に取り付けられるステム（足部）が、ヘッド外側７ａから延伸してもよい。
【００３５】
好都合なことに、制御手段は、ピニオン要素６の回転を制御する制御レバー１０を備え、この制御レバー１０は弾性的に装着する（ｌｏａｄ）ことができる。代替的に、ピニオン要素７のヘッド外側７ａで、例えば、スクリュードライバや六角棒スパナといった駆動工具用に、結合用台座（ｅｎｇａｇｅｍｅｎｔ  ｓｅａｔ）７ｂの境界が定められてもよい。
【００３６】
好適には、制御レバー１０は弾性的に装着されるが、ピニオン要素６の、結果として生じる回転による各々の角運動またはその作動の後、制御レバーが実質的に垂直位置、および、上方に延伸する自由把持部分（ｆｒｅｅ  ｇｒｉｐ  ｐｏｒｔｉｏｎ）に戻るように、回転を制御された後に、各ピニオン要素６から結合を開放される。従って、制御レバー１０は、位置戻しバネを含む、「ラチェット（歯止め）」または「ラチェットキー」などの種類であってもよく、ピニオン要素６の固定ピッチの開放による調節を可能にする。かかる手段によって、ユーザは常にレバー１０の位置（例えば、実質的に垂直である、など）を知ることができ、スポーツの最中、例えばペダリングの最中に、レバーに手が届き、適切に制御することができる。
【００３７】
好都合なことに、制御レバー１０は、例えばユーザが親指で簡単に表面を把持することができるように、例えばらせん形のように、実質的に湾曲している。
【００３８】
これに加えて、ピニオン要素６は、静止位置（この位置で、互いに移動可能な部分３ａ、３ｂは図６のように配置され、従ってハウジング大きさまたは容量ＲＺを減少させないように、緩く拘束される）と動作位置（この位置で、互いに移動可能な部分３ａ、３ｂは図５のように配置され、ハウジング大きさまたは容量ＲＺを減少させる、または、ユーザの足の特定の大きさに適合するように、強固に拘束される）の間で移動可能である。この関係において、ピニオン部品６が静止位置に対して回転される。また、かかるピニオンを静止位置に戻すことを目的とされた、ピニオン６用の開放ボタン１１が提供されている。
【００３９】
互いに移動可能な部分３ａ、３ｂに関して、これらは実質的に正面方向のタン（舌革）部分３ｂ、および、必要に応じて、例えば下方に向かって大きさが増す区画を用いて、互いに拘束されることができるＵ字型の水平−後方部分３ａを備えてもよい。
【００４０】
タン部分３ｂは２つの後方端部１３ａ、１３ｂを有しており、靴の片側、または内側にある１つの１３ａ、および、靴の他方の側または外側にある別の１つの１３ｂは、水平−後方部分３ａに固定され、あるいはさらに好ましくは、各正面端部１２ａ、１２ｂ（固定部分３ａの片側にある１つと、他方の側にある別の１つ）、および靴底２に固定される下方端部１４に固定される。タン部分３ｂの、好適には靴の外側、つまり、使用中、離れる方向に向き、ユーザによって着用される、もう片方の靴の方向を向いていない方に、２つの内側端部１６、１７の境界をそこに定めるように、溝１５が形成される。２つの内側端部１６、１７は、それぞれ、２つの区画３ｂ１、３ｂ２に属する。一方で、互いに移動可能な部分の締め付け−開放手段４、５は、タン部分３ｂの内側端部１６、１７を締め付け−開放し、続いて他方の区画３ｂ１、従って固定部分３ａに対して、可動部分３ｂの１つの区画３ｂ２を締め付け−開放することが目的とされている。
【００４１】
タン部分３ｂは、例えば、多層膜または複合成分でできていてもよい。それらは互いに対して異なる硬度の材料でできている。
【００４２】
このような目的のために、通常、材料は以下のように分類される（表１を参照）。
−特に柔軟：２０から５０のショア００（例えば、チューインガムおよびラケットボールのボール）、
−柔軟：５０から７０のショア００（例えば、ゴムバンド）、
−中程度に柔軟：７０から８０のショア００（例えば、鉛筆用消しゴム）、
−中程度に硬質：８０から９５のショア００（例えば、タイヤ）、
−硬質：９５よりも高いショア００、または２２から３５のショアＤ（例えば、シューズのヒール）、
−特に硬質：３５から７５を超えるショアＤ（例えば、ショッピングカートの車輪、または硬い材料のキャップ）。
【００４３】
【表１】
2017500954.tif 000003
【００４４】
溝１５は、タン部分３ｂの上側自由端部１８からその頂部まで延伸してもよい。より具体的には、溝１５は、上側端部１８から、わずかに傾いて進行し、または、より進んだ位置でのより低い端部で、または、アッパーの終端部に対する正面Ｆの手前（ｐｒｏｘｉｍａｌ）で延伸する第１の区画１５ａを有することができ、次いで、靴底２に対して実質的に水平か平行である第２の区画１５ｂを有することができる。
【００４５】
このような場合、ケーブル要素４は、第１の区画１５ａにある可動部分３ｂの内側端部１６、１７の間で戻ることができ、一方で、ケーブル要素５は、第２の区画１５ｂにある可動部分３ｂの内側端部１６、１７の間で戻ることができる。
【００４６】
本発明に準じた靴を用いて、ユーザの足に靴を簡単かつ効率的に適合させることが可能であることが理解されるであろう。
【００４７】
より具体的には、ユーザは、静止位置または開放位置の締め付け−開放手段を備える靴を着用し（図６参照）、次いで、締め付け−開放手段４，５を動作位置または締め付け位置に至らせるように、制御手段を用いて、締め付け−開放手段４、５上で操作し（図５参照）、そうすることにより、靴をユーザの足に適合させる。かかる目的のために、図示される実施形態によると、（レバー１０を用いて手動で、またはヘッド７ｂに結合可能な機器で）ピニオン要素６、７を回転によって移動させるように、ピニオン要素６、７を、静止位置から動作位置に操作することにより、ピニオン要素は各ラック９ａ、９ｂを制御し、従って、各ケーブル要素４，５の移動または摺動を制御する。上記は、固定部分または可動部分の一方の区画３ｂ１を用いて、他方の区画３ｂ２を締め付け、従って、固定部分３ａに対して、可動部分３ｂを締め付ける行為を含む。
【００４８】
特に、制御手段が、長手方向の接近−分離部品６と、上昇−下降部品７の両方を含む場合、ユーザは、靴を着用した後、例えば上昇−下降部品７で、靴の容量を変更することにより操作することができ、その後で、タン部品３ｂによって加えられる長手方向の圧迫を増減する手段を用いて、足に対する妨害（ｂｌｏｃｋｉｎｇ）を修正するように、接近−分離部品６で操作することができる。
【００４９】
かかる可変性により、２つの部品６および７の組み合わせは、アッパーを、完璧にかつ人間工学的に、一様ではない足と一体化させ、以て、靴に対する足の好ましくないずれや、足の煩わしい圧点や圧力のかかる領域を防止することを可能とする。
【００５０】
上記のように２つの部品６および７を使用することにより、必要に応じて部品７を１回使用するだけで、アッパーの容量を調節することが可能である。例えば、かかる容量は、異なる厚さの靴下を使用する際に変更することができ、続いて、使用中に変更する必要のある、足に対する靴の締め付けの調節または微調節を行うことができる。
【００５１】
さらに、アッパーの背面またはかかと部に制御手段を提供することで、特に上記で概説されるように作製されたアッパーにより、ならびに、当該アッパーとの組み合わせにより、同手段は靴の空気力学を損ねることがないことが理解されるであろう。
【００５２】
かかと部８の空気力学的抵抗をさらに減らすために、靴１のかかと部８は、ペダリングの最中に靴１のアッパー３にぶつかる空気を導くのに適した、少なくとも１つの経路２１ａ、２１ｂを備えてもよい。
【００５３】
さらに詳細には、かかと部８は、アッパー３にぶつかる空気を導くのに適した、第１の経路２１ａおよび第２の経路２１ｂを備えてもよい。
【００５４】
第１の経路２１ａおよび第２の経路２１ｂは、かかと部８の外側および内側にそれぞれ配置されてもよい。
【００５５】
経路２１ａおよび経路２１ｂは、例えば、かかと部８そのものによって形成される、各ブリッジ（ｂｒｉｄｇｅ、橋状部）２２ａ、２２ｂによって定義され、次いで、靴１の靴底２の支持表面に対して垂直に配置される。
【００５６】
経路２１ａ、２１ｂの区画は、実質的に狭く、垂直に延び、靴底２の支持表面を基準としている。
【００５７】
経路２１ａ、２１ｂの区画は、所望の空気流の状態を得られるような方法で、一方の端部からその他方に向かって変更することができる。例えば、収束部分は、経路２１ａ、２１ｂにそって空気が通過する間、空気の加速を高めることができ、空気をかかと部８の区間へと運ぶ際の有利な効果を伴う。
【００５８】
ブリッジ２２ａ、２２ｂは制御手段６、７、具体的にはヘッド６ａ−７ａの区間を、ヘッドを破損する可能性のある衝撃、または、ユーザによる偶然の位置設定の変更から保護することもできる。
【００５９】
本発明の修正および変更は、請求項によって定義されている保護の範囲内で可能である。
【００６０】
従って、例えば、２つの溝１５が提供され、それぞれは靴の各々の側に延伸されてもよい。また、両方の溝の内側端部を締め付け−開放することが目的とされている締め付け−開放手段が提供されてもよい。かかる手段は各制御手段によって制御される。かかる目的のために、適切なピニオンによって制御される、１つまたは複数のラックが提供されてもよい。各ラックは、靴の一方の側の溝で作動する、各ケーブル要素に連結される。また、適切なピニオンによって制御される、１つまたは複数のラックが提供されてもよい。各ラックは、靴の他方の側の溝で作動する、各ケーブル要素に連結される。
【００６１】
加えて、固定部分３ａおよび可動部分３ｂは、異なる方法で作製されてもよい。例えば、可動部分は、アッパーに固定される下方端部、固定部分に固定された後方端部を有していてもよい。また、固定部分３ａに拘束されず、締め付け−開放手段を用いて、接近または締め付けが可能な、他方の後方端部を有していてもよい。
【図１】
2017500954.tif 000004
【図２】
2017500954.tif 000005
【図３】
2017500954.tif 000006
【図４】
2017500954.tif 000007
【図５】
2017500954.tif 000008
【図６】
2017500954.tif 000009
【図７】
2017500954.tif 000010
【図８】
2017500954.tif 000011
【国際調査報告】
2017500954.tif 000012
2017500954.tif 000013
2017500954.tif 000014